(57)【要約】【課題】手摺を物干し金物や子供の転落防止策、日除けおよび雨除けシートの張り柵などとして利用できるバルコニーを提供することである。【解決手段】バルコニー１は、バルコニーの立上げ壁３に設置された鞘管７に手摺支柱８が移動自在に挿入され、該手摺支柱８の頂部に設置した手摺５を固定する掛止具１４が上階のバルコニー床６の下面に設置されてなる。【選択図】  図１
2010163745.tif 000002
【特許請求の範囲】
【請求項１】
バルコニーの立上げ壁に設置された鞘管に手摺支柱が移動自在に挿入され、該手摺支柱の頂部に設置した手摺を固定する掛止具が上階のバルコニー床の下面に設置されてなることを特徴とするバルコニー。
【請求項２】
鞘管は立上げ壁に埋設または立上げ壁の外面に設置されたことを特徴とする請求項１に記載のバルコニー。
【請求項３】
立上げ壁に埋設された鞘管には外部と連通した水抜き孔が設けられたことを特徴とする請求項１または２に記載のバルコニー。
【請求項４】
手摺は一本として全ての手摺支柱にわたって設置されるか、あるいは所定の長さに分割して複数本の手摺支柱ごとに設置されたことを特徴とする請求項１〜３のいずれかに記載のバルコニー。
【発明の詳細な説明】
【技術分野】
【０００１】
本願発明は共同住宅におけるバルコニーの手摺を上下動自在にして様々な用途に利用できるようにしたバルコニーに関するものである。
【背景技術】
【０００２】
従来のバルコニー３３は、図１１に示すように、外壁３４から外側に突出したバルコニー床３５の前端面に立上げ壁３６が形成され、この立上げ壁３６の上面に手摺３７が設置されていた。この手摺３７は手摺支柱３８が立上げ壁３６内に埋設・固定されていたために可動、すなわち上下に移動することができなかった。また、その他のバルコニーとしては、例えば特開２００７−５６５７９号公報の発明がある。
【先行技術文献】
【特許文献】
【０００３】
【特許文献１】特開２００７−５６５７９号公報
【発明の概要】
【発明が解決しようとする課題】
【０００４】
しかし、上記のようなバルコニーは雨天時においては洗濯物を干すことができず、備え付けの物干し竿があっても量的に不足気味であるという問題があった。また小さな子供が居る場合は転落防止対策が必要であり、手摺の付近に足掛かりとなるものが置けないので、植栽プランター類などは床置きする他、防犯的にも安全ではなかった。さらに、直射日光が当たる場合は眩しく、夏は部屋が高温になるという問題もあった。
【０００５】
本願発明は上記のような問題に鑑みてなされたものであり、その目的は、手摺を物干し金物や子供の転落防止策、日除けおよび雨除けシートの張り柵などとして利用できるバルコニーを提供することである。
【課題を解決するための手段】
【０００６】
以上の課題を解決するためのバルコニーは、バルコニーの立上げ壁に設置された鞘管に手摺支柱が移動自在に挿入され、該手摺支柱の頂部に設置した手摺を固定する掛止具が上階のバルコニー床の下面に設置されてなることを特徴とする。また鞘管は立上げ壁に埋設または立上げ壁の外面に設置されたことを含む。また立上げ壁に埋設された鞘管には外部と連通した水抜き孔が設けられたことを含む。また手摺は一本として全ての手摺支柱にわたって設置されるか、あるいは所定の長さに分割して複数の手摺支柱ごとに設置されたことを含むものである。
【発明の効果】
【０００７】
手摺を上に移動して上階のバルコニー床下面の掛止具に固定すると、立上げ壁と上階のバルコニー床下面との間が手摺で塞がれるため、子供の転落防止策になるとともに、低層階においては防犯対策となる。また手摺支柱にブラケット材を取り付けて物干し金物の代わりとして利用することができるとともに、手摺支柱に植栽プランターを掛けたり、蔓植物の支柱としても利用することができる。さらに手摺支柱間に透明シートを張ることにより雨除けになるとともに、すだれ状のものを掛けると日除けにもなる。また手摺が分割されて独立されているため、必要な箇所のみを上側に移動させて掛止具に固定して使用することもできる。
【図面の簡単な説明】
【０００８】
【図１】第１の実施の形態のバルコニーの断面図である。
【図２】（１）は手摺支柱の断面図、（２）は同斜視図である。
【図３】手摺を引き上げた第１の実施の形態のバルコニーの断面図である。
【図４】第２の実施の形態のバルコニーの斜視図である。
【図５】手摺を引き上げた第２の実施の形態のバルコニーの斜視図である。
【図６】第３の実施の形態のバルコニーの断面図である。
【図７】手摺を引き上げた第３の実施の形態のバルコニーの断面図である。
【図８】第４の実施の形態のバルコニーの斜視図である。
【図９】手摺を引き上げた第４の実施の形態のバルコニーの斜視図である。
【図１０】（１）〜（３）は種々の用途を示したバルコニーの斜視図である。
【図１１】従来のバルコニーの断面図である。
【発明を実施するための形態】
【０００９】
以下、本願発明のバルコニーの実施の形態を図面に基づいて詳細に説明する。また各実施の形態において同じ構成は同じ符号を付して説明し、異なった構成にのみ異なった符号を付して説明する。
【００１０】
図１〜図３は第１の実施の形態のバルコニー１を示したものである。このバルコニー１は共同住宅などの各住戸の外壁から外側に突出した平面矩形のバルコニー床２の前端面に立上げ壁３が形成され、この立上げ壁３に手摺５が設置されて構成され、上階のバルコニー床６が下階のバルコニー１の屋根代わりになっている。なお立上げ壁３の両側には隔て板が設置されて隣接したバルコニーと区切られている。
【００１１】
このバルコニー１の立上げ壁３には鋼製の鞘管７が適宜間隔ごとに埋設され、この鞘管７に手摺支柱８が上下動自在に挿入されている。この手摺支柱８は、図２に示すように、鞘管７に上下動自在に挿入された中空鋼管の下部支柱９と、該下部支柱９に上下動自在に挿入された中空鋼管の上部支柱１０とからなり、この上部支柱１０の頂部に手摺５が設置されている。この下部支柱９は、立上げ壁３の上面から突出した鞘管７の上部に設けたロックピン１２によって上下動が規制されるとともに、上部支柱１０も同じように下部支柱９の上部に設けたロックピン１３によって上下動が規制される。
【００１２】
また上階のバルコニー床６の下面には手摺５を固定する掛止具１４が適宜間隔ごとに設置されている。この掛止具１４は下部が開口した半円形のバネ片１５であり、手摺５が開口部１６を押し広げて固定されるとともに、取り外しも開口部１６を押し広げて引き抜かれる。したがって、手摺５は上下動自在となっており、上下のロックピン１２、１３を緩めた状態で手摺５を引き上げると、下部支柱９が鞘管７内を移動するとともに、上部支柱１０も下部支柱９内を移動して手摺支柱８が上側に伸びる。そして、上側に引き上げられた手摺５を掛止具１４で固定するとともに、上下のロックピン１２、１３で上部支柱１０と下部支柱９とを固定すると、図３に示すように、立上げ壁３と上階のバルコニー床６との間が塞がれる。また手摺５の上下動は手動また自動で行うことができ、自動の場合は引き上げ手段（図示せず）を設置するものとする。
【００１３】
また鞘管７には上部開口から雨水などが入るが、これは外部と連通した水抜き孔１７から流れ出るようになっている。なお上記の鞘管７および手摺支柱８は中空鋼管に限らず、中空または中実の硬質合成樹脂材で形成することもできる。
【００１４】
また図４および図５は第２の実施の形態のバルコニー１８である。このバルコニー１８は手摺１９、２０が分割されて、三本の手摺支柱８ごとに設置されて構成されたものであり、これ以外は第１の実施の形態のバルコニー１と同じ構成である。このように三本一組の手摺支柱８ごとに分割されて手摺１９、２０が設置されると、各手摺１９、２０ごとに上下動させることができるので、必要な箇所のみ、例えば一部の手摺１９のみを引き上げることが可能になるが、各手摺１９、２０を一度に引き上げることもできる。なお、手摺支柱８は上記のように三本一組に限らず、これ以上の本数またはこれ以下の本数を一組としても良い。
【００１５】
また図６および図７は第３の実施の形態のバルコニー２１である。このバルコニー２１は鞘管７を立上げ壁３の内側壁面に設置したものであり、これ以外は第１および第２の実施の形態のバルコニー１、１８と同じ構成である。これは鞘管７を後付けするものであり、既存のバルコニーの立上げ壁３に固定片２２でボルト止めするとともに、手摺２３を固定する掛止具１４も上階のバルコニー床６の下面に後付けするものとする。これにより既存建物のバルコニーや種々の形状のバルコニーにも容易に対応することができる。なお第２の実施の形態のバルコニー１８における手摺１９、２０を後付にすると、立上げ壁３の全てに設置しなくても、必要な箇所にのみ設置することもできる。
【００１６】
また図８および図９は第４の実施の形態のバルコニー２４である。このバルコニー２４はバルコニー床２の前面側および両側面側または片面側に立上げ壁３が形成され、これらの立上げ壁３の上面に手摺５が上下動自在に設置されたものであり、これ以外は第１〜第３の実施の形態のバルコニー１、１８、２１と同じ構成である。本願発明は上記のように建物の外壁に沿って連続的に形成されたバルコニーの他に、このように独立したバルコニーにも適用することができる。
【００１７】
また図１０は手摺５、１９、２０、２３を引き上げて掛止具１４に固定した状態の用途を示したものである。（１）は手摺支柱８に植栽プランター２５を設置するとともに、蔓植物２６の支柱として利用したものである。これにより植物に十分な日光や風を当てることができるようになる。なお、手摺支柱８は、このような植栽プランター２５を設置するための十分な強度を有している。また（２）は手摺支柱８にブラケット２７を設置し、このブラケット２７に物干し竿２８を載せて洗濯物２９を吊り下げたものであり、任意の箇所に任意の本数の物干し竿２８を設置することができる。また（３）は手摺支柱８に透明な雨除けシート３０、または簾などの日除けシート３１を設置したものであり、雨風および直射日光を遮ることができる。なお、これ以外にも様々な用途があり、必要な箇所の手摺５、１９、２０、２３を引き上げることにより、用途に応じた使用をすることができる。
【符号の説明】
【００１８】
１、１８、２１、２４、３３  バルコニー
２、６、３５  バルコニー床
３、３６  立上げ壁
５、１９、２０、２３、３７  手摺
７  鞘管
８、３８  手摺支柱
９  下部支柱
１０  上部支柱
１２、１３  ロックピン
１４  掛止具
１５  バネ片
１６  開口部
１７  水抜き孔
２２  固定片
２５  植栽プランター
２６  蔓植物
２７  ブラケット
２８  物干し竿
２９  洗濯物
３０  雨除けシート
３１  日除けシート
３４  外壁
【図１】
2010163745.tif 000003
【図２】
2010163745.tif 000004
【図３】
2010163745.tif 000005
【図４】
2010163745.tif 000006
【図５】
2010163745.tif 000007
【図６】
2010163745.tif 000008
【図７】
2010163745.tif 000009
【図８】
2010163745.tif 000010
【図９】
2010163745.tif 000011
【図１０】
2010163745.tif 000012
【図１１】
2010163745.tif 000013